(57)【要約】  メディアバインダの背部（１４）に取り付けられた少なくとも１つのばねクランプ（１５）を備えるメディアバインダ機構（１０）である。前記ばねクランプ（１５）は、内キャビティ（１９）を有する。前記ばねクランプ（１５）の前記内キャビティ（１９）は、折り曲げによる、サイド（１６，１７）から限定されるスペーサ壁（３６，３７）を有するデータムスペーサキャビティ（３５）とともに追加的に形成される。前記スペーサ壁（３６，３７）は、データムスペーサ（３０）をクランプベース（１８）に重ね合わせて保持するためにクランプベース（１８）に面する壁表面を有する。そのようなメディアバインダ機構（１０）の方法。
2019517405.tif 000002
【特許請求の範囲】
【請求項１】
表部（１２）と、裏部（１３）と、背軸（１４１）に沿って延びる背部（１４）とを具備するカバー（１１）と、
前記背部（１４）に取り付けられた少なくとも１つのばねクランプ（１５）であって、第１のクランプサイド縁（１６１）を具備する第１のサイド（１６）と第２のクランプサイド縁（１７１）を具備する第２のサイド（１７）とを有し、両サイド縁（１６１，１７１）が、力のかかった位置において互いに向けてばね力をかけており、両サイド（１６，１７）が、前記サイド縁（１６１，１７１）から離間したところにおいてクランプベース（１８）に結合して、内キャビティ（１９）を前記ばねクランプ（１５）に画定しており、各サイド（１６，１７）が、鋭角を有して前記クランプベース（１８）に対向する、前記少なくとも１つのばねクランプ（１５）と、
前記内キャビティ（１９）の内部に取り付けられるとともに、前記内キャビティ（１９）から突出してそれぞれの各サイド縁（１６１，１７１）に隣接し、かつ、前記カバー（１１）に堅固に固着される張力シート（２０）と、
前記張力シート（２０）を前記ばねクランプ（１５）の前記クランプベース（１８）に向けて保持する前記内キャビティ（１９）の内部に取り付けられるデータムスペーサ（３０）と、
を備えるメディアバインダ機構（１０）において、
前記ばねクランプ（１５）の前記内キャビティ（１９）には、折り曲げによって前記サイド（１６，１７）から限定されるスペーサ壁（３６，３７）を有するデータムスペーサキャビティ（３５）が追加的に形成されるとともに、前記スペーサ壁（３６，３７）は、前記データムスペーサ（３０）を前記クランプベース（１８）に重ね合わせて保持するためにクランプベース（１８）に面する壁表面を有することを特徴とする、メディアバインダ機構（１０）。
【請求項２】
前記クランプベース（１８）は、平らな面を有することを特徴とする、請求項１によるメディアバインダ機構（１０）。
【請求項３】
前記スペーサ壁（３６，３７）の壁表面は、前記クランプベース（１８）の表面に対し、平行であることを特徴とする、請求項２によるメディアバインダ機構（１０）。
【請求項４】
前記スペーサ壁（３６，３７）の壁表面は、それぞれが前記クランプベース（１８）の前記表面に向かう鋭角を有することを特徴とする、請求項２によるメディアバインダ機構（１０）。
【請求項５】
前記スペーサ壁（３６，３７）の壁表面の前記鋭角は、それぞれが前記サイド（１６，１７）と前記クランプベース（１８）との各々の間の角度とは異なることを特徴とする、請求項４によるメディアバインダ機構（１０）。
【請求項６】
前記クランプベース（１８）に向かう、前記スペーサ壁（３６，３７）の直角な突出部分は、前記クランプベース（１８）の表面の２０％から６０％までを覆うことを特徴とする、請求項１から５のいずれか一項によるメディアバインダ機構（１０）。
【請求項７】
前記直角な突出部分は、前記クランプベース（１８）の表面の３０％から４０％までを覆うことを特徴とする、請求項６によるメディアバインダ機構（１０）。
【請求項８】
前記直角な突出部分は、前記クランプベース（１８）の表面の３５％を覆うことを特徴とする、請求項７によるメディアバインダ機構（１０）。
【請求項９】
前記データムスペーサ（３０）は、長方形の横断面を有する長尺の定規として設けられることを特徴とする、請求項１から８のいずれか一項によるメディアバインダ機構（１０）。
【請求項１０】
前記長尺の定規の一方の終端は、前記定規の長手方向に対し直角に延びるデータム止め（７１）を備えることを特徴とする、請求項９によるメディアバインダ機構（１０）。
【請求項１１】
内キャビティ（１９）を具備し、かつ、データムスペーサ（３０）を保持するように設計された追加的なデータムスペーサキャビティ（３５）を具備する少なくとも１つのばねクランプ（１５）を形成し、
張力シート（２０）をデータムスペーサ（３０）に取り付け、
前記張力シートを前記データムスペーサキャビティ（３５）内に保持するために、前記張力シート（２０）を前記データムスペーサ（３０）とともに前記ばねクランプ（１５）の前記データムスペーサキャビティ（３５）内へ長手方向に挿入し、
前記張力シート（２０）をバインダカバー（１１）の表部（１２）と裏部（１３）とに取り付け、同時に、前記ばねクランプ（１５）を前記バインダカバー（１１）の背部位置に位置決めすることを特徴とする、請求項１のメディアバインダ機構（１０）を製造する方法。
【請求項１２】
前記張力シート（２０）は、前記バインダカバー（１１）の内側に糊付けされることを特徴とする、請求項１１によるメディアバインダ機構（１０）を製造する方法。
【発明の詳細な説明】
【技術分野】
【０００１】
本発明は、ばらばらの用紙を冊子／フォルダ状に迅速にバインドし、バインダのサイドを反対側に折り曲げることにより、該バインダを開く技術のための背クランプバインダに関する。
【背景技術】
【０００２】
特許文献１及び特許文献２のそれぞれは、表紙面と裏表紙面とが背部で連結されたカバーを有するメディアバインダ機構を開示する。前記背表紙は、いくつかの背クランプを含み、各背クランプは、用紙の束を束ねるために十分に強い閉じ力を備えている。前記クランプは、前記背クランプに取り付けられた張力シートによって、メディアバインダのカバーと同様に開き得る。前記カバーが２７０°よりも開いた場合、張力シートによって背クランプに開く力が伝達される。各背クランプは、平らな２つの背サイド面を具備するように設計されており、該背サイド面は、背クランプの頂部において互いに向かって傾斜しているとともに、底部において、平らな背クランプにより、互いに接続されている。これらの特許は、メディアバインダがデータムスペーサを備え、該データムスペーサがデータム止めを備え、該データム止めが前記データムスペーサの終端において直角に設けられていることをも開示している。
【０００３】
特許文献３は、ばねクランプバインダ用シート保持機構を開示しており、該ばねクランプバインダ用シート保持機構は、データムバーとしてのスペーサを有し、該スペーサには一組の孔が挿通しており、各孔にリベット等が前記ばねクランプと前記スペーサとを接続するように、各孔は、ばねクランプに並べられている。前記ばねクランプは、平らな側面を備えており、該側面は、頂部において、張力システムによるばね力に抗して開放可能に閉じている。
【先行技術文献】
【特許文献】
【０００４】
【特許文献１】米国特許第７７９８７３６号明細書
【特許文献２】米国特許第７９２２２０７号明細書
【特許文献３】米国特許第７７５７３５８号明細書
【発明の概要】
【０００５】
それぞれの既知の発明は、糊付け、折り畳み、リベット止めによって、張力シートを前記ばねクランプに取り付けている点で不具合を来す。これらの取り付け方法は、時間がかかり、高価である。
【０００６】
本発明の目的は、これまでよりも早く、かつ、廉価に背クランプバインダを製造することができる背クランプバインダ用の新規な背クランプを提供することである。
本発明の目的はまた、そのような新規な背クランプを用いた背クランプバインダを製造する新規な製造方法を提供することでもある。
【０００７】
本発明により、独立請求項にみられるように、前記目的が達成され、前記不具合が解消される。本発明の好適な実施形態は、独立請求項に定義される。
本発明は、表部と、裏部と、背軸に沿って延びる背部とを具備するカバーを備えたメディアバインダ機構に関する。
【０００８】
該機構は、背部に取り付けられた少なくとも１つのばねクランプであって、該１つのばねクランプは、第１のクランプサイド縁を具備する第１のサイドと第２のクランプサイド縁を具備する第２のサイドとを備える。両サイド縁は、力がかかった位置において互いに向けてばね力をかけている。ばねクランプの両サイドは、サイド縁から離間したところにおいて互いにクランプベースに結合して、内キャビティをばねクランプに画定している。ばねクランプの各サイドは、鋭角を有してクランプベースに対向する。張力シートは、内キャビティの内部に取り付けられるとともに、内キャビティから突出してそれぞれのサイド縁に隣接するとともに、カバーに堅固に固着される。データムスペーサは、張力シートをばねクランプのクランプベースに向けて保持する内キャビティの内部に取り付けられており、ばねクランプの内キャビティには、折り曲げによってばねクランプのサイドから限定されるスペーサ壁を有するデータムスペーサキャビティが追加的に形成される。スペーサ壁は、データムスペーサをクランプベースに重ね合わせて保持するためにクランプベースに面する壁表面を有する。これらスペーサ壁は、サイド縁の屈曲部におけるばねクランプのそれぞれのサイド縁に形成される。データムスペーサキャビティは、このように形成され、かつ、これら屈曲部によって内キャビティの残余の部分から区切られる。
【０００９】
本発明の一態様において、クランプベースは、平らな面を有する。
本発明の一態様において、スペーサ壁の壁表面は、クランプベースの表面に対し、平行である。この態様は、長方形のデータムスペーサキャビティを提供する。
【００１０】
本発明の一態様において、スペーサ壁の壁表面は、それぞれがクランプベースの表面に向かう鋭角を有する。この態様は、用紙の束を保持するクランプ力を提供する。クランプベースへ向かう角度が鋭角であるほど、所与のばねクランプ特性のクランプ力は、より大きくなる。
【００１１】
本発明の一態様において、スペーサ壁の壁表面の鋭角は、それぞれがサイドとクランプベースとの各々の間の角度とは異なる。これは、スペーサ壁とクランプベースとの間の鋭角が、サイド壁とクランプベースとの間の鋭角と異なることを意味する。この態様は、純粋に長方形の形とは異なった別の形のデータムスペーサキャビティを提供する。
【００１２】
本発明の一態様において、クランプベースに向かう、スペーサ壁の直角な突出部分は、クランプベースの表面の２０％から６０％までを覆う。これは、スペーサキャビティがデータムスペーサを覆う範囲を決定する。
【００１３】
本発明の一態様において、スペーサ壁の直角な突出部分は、クランプベースの表面の３０％から４０％までを覆う。
本発明の一態様において、スペーサ壁の直角な突出部分は、クランプベースの表面の３５％を覆う。
【００１４】
本発明の一態様において、データムスペーサは、長方形の横断面を有する長尺の定規として設けられる。
本発明の一態様において、長尺の定規の一方の終端は、定規の長手方向に対し直角に延びるデータム止めを備える。このデータム止めは、クランプベースに対して直角な第２の方向に用紙の束を揃える。
【００１５】
本発明はまた、内キャビティを具備し、かつ、データムスペーサを保持するように設計された追加的なデータムスペーサキャビティを具備する、少なくとも１つのばねクランプを有するメディアバインダ機構の製造方法をもカバーする。張力シートがデータムスペーサに取り付けられ、次いで、張力シートをデータムスペーサキャビティ内に保持するために、張力シートをデータムスペーサとともにばねクランプのデータムスペーサキャビティ内へ長手方向に挿入する。次いで、張力シートは、バインダカバーの表部と裏部とに取り付けられ、同時に、ばねクランプは、バインダカバーの背部位置に位置決めされる。
【００１６】
本発明の方法の一態様において、張力シートは、バインダカバーの内側に糊付けされる。
メディアバインダ機構を製造する方法の一態様は、次のステップを有する。
【００１７】
ステップ１：上述した形状に金属ばねを形成する。
ステップ２：樹脂バーにライナを取り付ける。
ステップ３：樹脂バーとライナとを金属ばねに挿入する。
【００１８】
ステップ４：ブックカバーの内側にライナを糊付けする。
次に、本発明をより詳細に説明し、添付の図面に関連して参照を行う。図面は、本発明の理解を容易にすることを意図した説明的なスケッチのみを示している。
【図面の簡単な説明】
【００１９】
【図１】本発明によるメディアバインダ機構におけるばねクランプ機構の第１の実施形態を示す断面図。
【図２】本発明によるばねクランプの第２の実施形態を示す断面図。
【図３】本発明によるばねクランプの第３の実施形態を示す断面図。
【図４】本発明によるばねクランプの第４の実施形態を示す断面図。
【図５】本発明によるばねクランプの第５の実施形態を示す断面図。
【図６】本発明の第１の実施形態によるばねクランプ内にデータムスペーサを装着する工程を示す図。
【図７】本発明によるばねクランプ内に第２の実施形態のデータムスペーサを装着する工程を示す図。
【発明を実施するための形態】
【００２０】
図１は、メディアバインダ機構１０の背部領域の横断面略図を示す。機構の一部は、長尺のバインダ機構の図示の目的のため、破線で示される。図示の部分において、メディアバインダ機構１０は、表部１２と、裏部１３と、背部１４とを具備するカバー１１を備える。これらのすべての部品は、図において破線で示されているように、背軸１４１と平行に、メディアバインダ製品の実際の寸法まで延びる。メディアバインダ機構１０は、第１の実施形態のばねクランプ１５を備えており、該ばねクランプ１５は、バインダの背部１４に取り付けられている。ばねクランプ１５の内部には、張力シート２０が貼り付けられており、該張力シートは、第１のサイド部２０１と第２のサイド部２０２とを有する。張力シート２０のこれら第１，第２のサイド部のそれぞれは、前記カバーの表部１２と裏部１３とに対して各々堅固に接合される。この接合は、閉じるばね力に抗して、矢印で示すように反対側にカバーの表部１２とカバーの裏部１３とを折り曲げた際、ばねクランプ１５が開くように、なされている。カバーの表部１２とカバーの裏部１３とが「裏曲げ」から解放されると、ばねクランプ１５は、所定のばね力をもって閉じる。ばねクランプは、半開きの状態で図面に開示される。
【００２１】
ばねクランプメディアバインダのこのような機構により、バインダを裏側に折り曲げ、その後は、バインダをばねクランプによる閉じ力に委ねることだけによって、用紙の束を揃えてバインド位置に集めることが可能となる。
【００２２】
ばねクランプ１５は、第１のクランプサイド縁１６１を具備する第１のサイド１６と、第２のクランプサイド縁１７１を具備する第２のサイド１７とを備える。各サイド縁１６１，１７１は、好適には、張力シート２０が上に重なる滑らかな表面を呈するように、外側に湾曲する。サイド縁１６１，１７１は、メディアバインダ機構１０内の用紙の束を押圧するために、力のかかった位置においてばね力を互いに向けて付与する。メディアバインダのサイド１６，１７は、サイド縁１６１，１７１をクランプベース１８に対し当該サイド縁から離間して接続しており、それによって、ばねクランプ１５に内キャビティ１９を画定している。張力シート２０は、内キャビティ１９の内部に取り付けられるとともに、内キャビティ１９から突出して、それぞれのサイド縁１６１，１７１に各々隣接し、かつ、カバー１１に堅固に固着される。
【００２３】
ばねクランプ１５の各サイド１６，１７は、鋭角を有して、力のかかっていない姿勢にあるクランプベース１８に対向している。ばねクランプ１５の底部における内キャビティ１９は、スペーサキャビティ３５とともに設計される。このスペーサキャビティは、図１において、９０°の角度で互いに隣接する丸まった隅部を有する長方形のキャビティに形成される。しかしながら、例えば、楕円形又は丸まった隅部を有する長方形の形状等、別の形状を選択することも可能である。スペーサキャビティの目的は、当該スペーサキャビティ内にデータムスペーサ３０を張力シート２０とともに保持することである。このように、データムスペーサ３０は、張力シート２０を保持するキャビティ１９の内部に保持され、ばねクランプ１５のクランプベース１８に対向する。
【００２４】
かかる目的のため、スペーサキャビティ３５は、スペーサ壁３６，３７を備えており、該壁表面は、バインダ、従ってばねクランプ１５が開いている場合であっても、データムスペーサ３０をクランプベース１８に重ね合わせて保持するために、クランプベース１８に臨んでいる。ばねクランプのカバーのスペーサ壁３６，３７は、データムスペーサの内側面２１を、当該内側面２１全体の１５％から２５％まで、好適には２０％覆う。
【００２５】
図２は、破線によって概略的に示されるデータムスペーサ３０１を覆うばねクランプ１５２の第２の実施形態の横断面略図を示す。このばねクランプ１５２は、スペーサキャビティ３５１を備えており、該スペーサキャビティは、第１の実施形態と比較すると、より大きなスペーサキャビティ壁３６１，３７１を有し、該スペーサ壁３６１，３７１は、データムスペーサ３０１の内側面２１１に対し直角に対向して突出された際に、データムスペーサの内側面２１１を、当該内側面２１１全体の２５％から７５％まで、好適には５５％を覆う。本実施形態において、データムスペーサ３０１は、図１に開示されたデータムスペーサ３０と同様に設計される。
【００２６】
図３は、破線によって概略的に示されるデータムスペーサ３０２をスペーサキャビティ３５２内に包むばねクランプ１５３の第３の実施形態の横断面略図を示す。本実施形態において、データムスペーサ３０２の内側面２１２は、中間面と２つの傾斜側面とからなる３つの面に分けられる。本実施形態において、ばねクランプ１５３のスペーサキャビティ壁３６２，３７２側面は、データムスペーサ３０２の傾斜した側面と平行である。スペーサキャビティ壁３６２，３７２は、データムスペーサ３０２の傾斜した側面に対し直角に突出する際、前記データムスペーサの傾斜した側面全体を覆う。
【００２７】
図４は、破線によって概略的に示されるデータムスペーサ３０３をスペーサキャビティ３５３内に包むばねクランプ１５４の第４の実施形態の横断面略図を示す。データムスペーサ３０３の横断面形状は、楕円形である。データムスペーサ３０３に面するスペーサキャビティ３５３の表面は、図には平らな面として示されているが、別の実施形態において、データムスペーサ対向面は、対応した楕円形に形成されてもよい。しかも、ばねクランプの外表面は、本実施形態においては、中央曲げ部４０１を備える。
【００２８】
図５は、破線によって概略的に示されるデータムスペーサ３０４をスペーサキャビティ３５４内に包むばねクランプ１５５の第５の実施形態の横断面略図を示す。データムスペーサ３０４の横断面形状は、本実施形態においては、概ね楕円形である。しかしながら、データムスペーサの内側面２１４の中央領域は、楕円形の窪みを備えており、該窪みは、図示のように、平らな面でも凹んだ面でもよい。スペーサキャビティ３５４の表面は、データムスペーサ３０４に面しており、平らな面として図示されているが、別の実施形態においては、データムスペーサ対向面は、データムスペーサに対応する楕円形であってもよい。
【００２９】
各種実施形態に開示されたクランプベースは、代替的な実施形態として、窪んだ曲線を具備する凹状に設計することができる。
図６は、メディアバインダ機構１０の製造方法を示している。メディアバインダ機構は、データムスペーサキャビティ３５とともに設計された内キャビティ１９を有する少なくとも１つのばねクランプ１５を備える。データムスペーサキャビティ３５には、データムスペーサ３０を保持するための２つのスペーサ壁３６，３７が形成される。
【００３０】
張力シート２０とデータムスペーサとの双方が、図の矢印で示す長手方向に移動してばねクランプ内に装着可能となるように、張力シート２０は、データムスペーサ３０に取り付けられる。図示の目的のため、図６のデータムスペーサは、張力シートよりも長く示されている。当然のことながら、張力シートとデータムスペーサとは、長手方向に変位して同時に配置されるように、互いに同じ高さである。
【００３１】
このように、データムキャビティ３５内に張力シートを保持するために、張力シート２０は、データムスペーサ３０とともに、ばねクランプ１５のデータムスペーサキャビティ３５内に長手方向に挿入される。好適には、この張力シートとデータムスペーサの装着は、ばねクランプが開く方向に力を受けている間、なされる。
【００３２】
張力シートとデータムスペーサとが正規の位置に配置されると、すなわち、ばねクランプと同じ高さになった場合、張力シート２０は、バインダカバー１１の表部１２と裏部１３とに取り付けられる。同時に、ばねクランプ１５は、バインダカバー１１の背位置に位置決めされる。好適には、張力シート２０は、バインダカバー１１の内側に糊付けされる。
【００３３】
開示された図１から図６において、データムスペーサの一目的は、用紙の束の内側をデータムスペーサの表面に向けて揃えることである。
図７は、図６に開示されたものと同一の取り付け手順を示しているが、他のタイプのディスクスペース７１を用いている。このデータムスペーサは、既述したデータムスペーサと同様の第１のサイド７２を備える。しかしながら、このデータムスペーサはまた、第１のサイド７２から直角に延びる終端面７３をも備える。終端面７３の目的もまた、直角方向に用紙の束を揃えることである。しかしながら、図６において説明した長手方向の取り付けは、矢印で示すように、本実施形態と同じである。
【００３４】
すべての開示された実施形態において、共通の設計要素は、ばねクランプが明確に画定されたデータムスペーサキャビティを具備した設計であることにある。
【図１】
2019517405.tif 000003
【図２】
2019517405.tif 000004
【図３】
2019517405.tif 000005
【図４】
2019517405.tif 000006
【図５】
2019517405.tif 000007
【図６】
2019517405.tif 000008
【図７】
2019517405.tif 000009
【国際調査報告】
2019517405.tif 000010
2019517405.tif 000011